(57)【要約】【課題】本発明は、ペット専用の墓において、組み立て前の輸送、組み立て作業が容易で、組み立て後の密封性が良好、かつ簡単に分解、移設可能な組立式ペット用墓を提供することを目的とするものである。【解決手段】本発明は、上記課題を解決するために、骨壺１３を置く載置台２と、前記載置台２の嵌着溝２ａに垂直に嵌着する正面板４と背面板５と左側面板６及び右側面板７からなる本体３と、前記本体３の上部に嵌着した蓋９からなることを特徴とする組立式ペット用墓１の構成とした。【選択図】図８
2007285032.tif 000002
【特許請求の範囲】
【請求項１】
載置台と、前記載置台の嵌着溝に垂直に嵌着する正面板と背面板と左右側面板からなる本体と、前記本体の上部に嵌着した蓋からなることを特徴とする組立式ペット用墓。
【請求項２】
蓋にモニュメントを設置することを特徴とする請求項１記載の組立式ペット用墓。
【発明の詳細な説明】
【技術分野】
【０００１】
本発明は組み立て容易な猫、犬などのペットの遺骨を収納する墓に関する発明である。
【背景技術】
【０００２】
従来ペットが死亡すると、庭、畑などに遺体を直接埋葬するなどしていた。最近では、動物専用の火葬場があり、荼毘に付すことも可能になった。また、飼い主も家族同様にペットを扱いと考える傾向が強くなり、ペットが死亡した後の供養も人間と同様に行いたいと考えるようになってきた。
【０００３】
そのような動物用専用の墓として、特許文献１に動物のお墓が公開されている。特許文献１に記載の動物のお墓は、プラスチック等耐蝕性のある材料で中空に形成し、外見は従来の墓石などを模した形状である。
【０００４】
この動物の墓は、可搬性、設置性に富み、浄土化概念に反って、動物供養できるなどの特徴を有する。
【０００５】
しかしながら、特許文献１に記載の動物の墓は、遺体を中空の中で浄土させるため、下台が底無しとなっており密封されていない。現代では、家が密集し、狭い庭先などでペットの遺骸を浄土化（遺骨化）させることは、悪臭の発生、衛生上の観点から好ましくない。さらに、人間同様の扱いができる反面、大きいため設置場所が限定されてしまう欠点もある。
【０００６】
また、ペット専用の火葬場が身近にあることから、その必要もない。また、火葬に付した遺骨を特許文献１に記載の動物のお墓に納骨する方法について言及しているが、湿気が充満する前記お墓では、遺骨にカビが付着し、何れ朽ち果ててしまうこととなる。
【０００７】
火葬場で荼毘に付した遺骨を、動物霊園などに委託し、供養をすることも考えられるが、何時でも自由に墓参りをすることができず、現代の飼い主の供養概念を満たしているとは言えない。
【特許文献１】特開２００２−２２０９４６号公報
【０００８】
そこで、特許文献２に近くに遺骨を置くことができるペットのお墓が公開されている。特許文献２に記載のペットの墓は、下敷きとなる板状の座面石と、その上に置かれて中が納骨室に上が納骨口となる筒形の下台石と、その上に積み上げられる積み上げ可能な蓋石とからなり、その蓋石が、納骨口を封じる笠石に、摘みとなる起立した棹石を、上台石を介して一体に形成され、笠石を持ち上げて納骨口を開くことにより納骨室に骨壺を収納し得るように構成されている。
【０００９】
このペットの墓は、蓋石を摘み上げ得る程度の小さな墓であり、設置場所が限定されなく、例えば、共同墓地において自宅の墓の片隅に置くことにより先祖供養に付随して健全に供養することができ、また、石造りであるため管理が容易であり耐久性があり、ペットの遺骨が雨に濡れることもないという特徴を有する。
【００１０】
しかしながら、特許文献２に記載のペットの墓は、下台石を石の中をくりぬき中空の筒形を成形しなければならないため、製作が困難で、高価なものとなる欠点がある。
【００１１】
また、仮に板を四角に単に組み合わせただけでは、風などの横からの力に抵抗することができない、即ち強度がないものとなってしまう。
【００１２】
さらに、墓地などに設置したとしても、前記ペットの墓は、小さいものであるから雑草などに埋もれ、また地中に埋設しないことから盗難される恐れもあり、管理は決して容易ではない。従って飼い主のペットを供養する気持ちを充分満たすことできるとは言えない。
【００１３】
加えて、仮に前記ペットのお墓を拡大した場合、下台石部分を分解することができないことから組み立て前の輸送が困難である。またこのペットのお墓は、石造りであるから組み立て作業も困難で、到底素人では組み立てることができない。
【特許文献２】特開２００４−１２４６２１号公報
【発明の開示】
【発明が解決しようとする課題】
【００１４】
そこで、本発明は、ペット専用の墓において、組み立て前の輸送、組み立て作業、組み立て後の密封性が良好で、かつ簡単に分解、移設可能な組立式ペット用墓を提供することを目的とするものである。
【課題を解決するための手段】
【００１５】
本発明は、上記の課題を解決するために、長方形状の載置台２と、前記載置台２の嵌着溝２ａに垂直に嵌着する凸状の正面板４と凸状の背面板５とＴ字状の左右側面板６、７なる本体３と、前記本体３の上部に嵌着した第１蓋９ａ及び第２蓋９ｂからなる蓋９からなり、且つ前記正面板４と左右側面板６、７及び、前記背面板５と左右側面板６、７が各々嵌着し、さらに嵌着部をピン８で連結することを特徴とする組立式ペット用墓１の構成とした。
【発明の効果】
【００１６】
本発明の組立式ペット用墓は、以上の構成であるから以下の効果が得られる。
【００１７】
第１に、本発明の各構成部品は板状であるため、コンパクトに収納することができるから組み立て前の輸送が容易である。
【００１８】
第２に、本発明は、板状の素材に簡易な加工を施すだけであっても、組み立て後は高い強度と密封性を発揮することができる。つまり、耐風雨性にも優れていることから、庭隅に設置、又は土に埋め込むことも可能である。また、安価に生産できる。
【００１９】
第３に小さく、軽いことから庭、墓地の隅、屋内に設置することもできる。
【００２０】
第４に、長期不在、引っ越しの場合でも、容易に分解、梱包、輸送、再度組み立てることができることから移設も簡単に行うことができる。従って、本発明の組立式ペット用墓とともに、常にペットの遺骨を身近に置くことができ、何時でも自由にペットの墓参り、供養ができることとなり、飼い主のペットを供養する気持ちを充分満足することができることとなる。
【発明を実施するための最良の形態】
【００２１】
ペットの遺骨１２を埋葬・供養する、組み立て容易で移設も簡単なペット用の墓を提供するために、長方形状の載置台２ｅと、前記載置台２ｅの表面２ｆに垂直に接合する凸状の正面板４と凸状の背面板５とＴ字状の左右側面板６、７からなる本体３と、前記本体３の上部に嵌着した第１蓋９ａ及び第２蓋９ｂからなる蓋９からなり、且つ前記正面板４と左右側面板６、７及び、前記背面板５と左右側面板６，７が各々嵌着し、さらに嵌着部をピン８で連結固定してなり、各構成部品の隙間をコーキング剤で密封し、前記蓋９の上部に刻銘部１０ａ及び固定部１０ｂからなる略Ｌ字状のモニュメント１０をボルトで固定してなることを特徴とする組立式ペット用墓１ａの構成としたことで実現した。
【実施例１】
【００２２】
以下に、添付図面に基づいて、本発明である組立式ペット用墓について詳細に説明する。
【００２３】
図１は、本発明である組立式ペット用墓の正面図である。本発明である組立式ペット用墓１は、載置台２と、前記載置台２に嵌着させる本体３、及び蓋９からなる。蓋９の上にはモニュメント１０を設置することができる。
【００２４】
モニュメント１０とは、ペットの名前或いは戒名を刻む銘板、立柱、生前の姿を模した銅像、彫刻、祈念碑などである。前記銘板、立柱、記念碑に生前の姿を彫刻すること、また彫刻、写真を取り付け、埋め込んでもよい。なお、実施例１では、銘板を設置した。
【００２５】
組立式ペット用墓１の構成素材は、花崗岩（御影石）、玄武岩、安山岩、大理石など人骨を埋葬、納骨する墓と同じ石材、コンクリート、金属、プラスチックなど風雨に対する耐久性がある素材であれば、特に限定しない。
【００２６】
図２は、本発明である組立式ペット用墓を構成する載置台の斜視図である。該載置台２は、略長方形状の板で、本体３を嵌着する嵌着溝２ａがある。該嵌着溝２ａは、載置台２の地面と接しない面に本体３の厚みを嵌着することができる幅で彫り込むことでできる。
【００２７】
載置台２に嵌着溝２ａを設けることで形成される嵌着溝２ａより外側の一段高い部分を外突出部２ｂという。また、嵌着溝２ａより内側の一段高い部分が納骨室の内突出部２ｃとなる。なお、前記本体３の外周を囲むような一定の幅で、一定の厚みの外突出部２ｂを長方体に積層することで、嵌着溝２ａを作ることもできるのは勿論である。
【００２８】
この内突出部２ｃには、適当な大きさの収納溝２ｄを設けてもよい。このように収納溝２ｄを設けることで、骨壺を固定することができ、外部からの衝撃で骨壺が転倒し、骨が納骨室内に散乱することを防ぐことができる。
【００２９】
また、このように載置台２を前記本体３の外周より大きくした組立式ペット用墓１は、安定性があることから、地面に穴を掘り、一部埋没させなくてもよいため設置が容易である。
【００３０】
ここで、本発明である組立式ペット用墓１を構成する本体３は、正面板４と背面板５と左側面板６及び右側面板７からなる。図３に正面板（Ａ）と左側面板（Ｂ）の正面図を示した。また、図４に背面板（Ｃ）と右側面板（Ｄ）の正面図を示した。ここでの正面図とは、正面板４、背面板５及び左右側面板６、７を載置台２に嵌着させたとき、各々外側に当たる面を正面としたときの図である。
【００３１】
正面板４、背面板５は凸形状の板で同一形状である。載置台２の嵌着溝２ａに嵌着したとき、底面４ａ、５ａが嵌着溝２ａの底に密着する。
【００３２】
また左右側面板６、７はＴ字状の板で同一形状である。載置台２の嵌着溝２ａに嵌着したとき、底面６ａ、７ａが嵌着溝２ａの底に密着する。
【００３３】
このとき嵌着溝２ａと正面板４、背面板５及び左右側面板６、７が嵌着された箇所をコーキング剤で密封することが望ましい。これにより、納骨室に水が入り込むのを防ぎ、納骨した遺骨の保存性が高まる。
【００３４】
なお、一度組み立てた組立式ペット用墓１を分解する必要がなければ、嵌着溝２ａと底面４ａ、５ａ、６ａ、７ａは、両面テープ、接着剤などで接着してもよい。
【００３５】
また、組立式ペット用墓１を分解することがある場合は、コーキング剤、接着剤、両面テープを使用せず、嵌着溝２ａに粘土と敷き、正面板４、背面板５及び左右側面板６、７を載せ、組み立てることで、分解することが容易になる。嵌合部分の気密性も確保することができる。
【００３６】
正面板４、左右側面板６、７が載置台２の嵌着溝２ａに嵌着するとともに、正面板４の左切込部４ｂ及び右切込部４ｃが、左側面板６の右突出部６ｃ及び右側面板７の左突出部７ｂと嵌着する。
【００３７】
また、背面板５、左右側面板６、７が載置台２の嵌着溝２ａに嵌着するとともに、背面板５の左切込部５ｂ及び右切込部５ｃが、右側面板７の右突出部６ｃ及び左側面板６の左突出部６ｂと嵌着する。
【００３８】
このように嵌着した左右切込部４ｂ、４ｃ、５ｂ、５ｃ及び左右突出部６ｂ、６ｃ、７ｄ、７ｃは、左右切込部４ｂ、４ｃ、５ｂ、５ｃにある差込孔４ｄ、５ｄ及び左右突出部６ｂ、６ｃ、７ｄ、７ｃにある挿入孔６ｄ、７ｄにピン８を挿入して、連結固定する。
【００３９】
このとき、差込孔４ｄ、５ｄに粘土を埋め込み、ピン８を挿入することで、差込孔４ｄ、５ｄの口径とピン８の径が相違しても、ぐらつくことがなく、安定して連結固定することができる。
【００４０】
これによって簡単に組み立てることが可能で、かつ本体３に強度を付与することができる。また、粘土を使用する場合は、分解が容易で、分解して移動することができ、専門業者等に組み立てを依頼することなく、購入者でも容易に組み立てることができる。
【００４１】
なおネジ留めして構わないが、本発明特有の構造によって、本体３の強度は十分確保することができるためネジ留めまでする必要はない。ピン８は、ステンレスなど腐食しにくい素材を採用することが望ましい。
【００４２】
このようにして載置台２に、正面板４と背面板５と左側面板６及び右側面板７を嵌着することで四角形の筒形状の本体３を形成し、該本体３の内部が納骨室となる。また、本体３の上部が水平に形成され、正面板４と背面板５と左側面板６及び右側面板７の各々上面４ｅ、５ｅ、６ｅ、７ｅが蓋９と密着する。
【００４３】
図５は、本発明である組立式ペット用墓を構成する載置台と本体の組み立て方法を示す斜視図である。まず、載置台２の嵌着溝２ａに本体３を構成する正面板４、背面板５、左右側面板６、７を点線矢印の位置に嵌着さる。その後、ピン８を一点波線矢印が示すように挿入し、本体３を連結固定する。
【００４４】
図６は、本発明である組立式ペット用墓の組み立て方法を示す背面斜視図である。載置台２上に本体３を固定することで、本体３の内部に納骨室３ａが形成される。該納骨室３ａに遺骨を納骨した後、蓋９で密封して、本発明である組立式ペット用墓１は組み立てられる。
【００４５】
ここで蓋９の構造を説明する。なお、図６において蓋９は透視図として表した。蓋９は、同一形状である第１蓋９ａ及び第２蓋９ｂからなる。これによりなる蓋９は、本体３の外周より大きい板状であり、少なくとも本体３の上面と接する部分が削り込まれ、凹部９ｃを持つ。
【００４６】
この凹部９ｃの外周は、本体３の外周とぴったり嵌着する。前記凹部９ｃより一段厚い外縁部９ｄは、本体３の上部より低い位置まで組み込まれていることから、横からの雨水の浸入を防ぐことができる。
【００４７】
蓋９は、本体３に嵌着するよう削り込まれていれば、一枚の板であっても構わない。図７に示すように、２枚の板に分割することで、配送、組み立てが容易になる。蓋９も石材等重い素材であるから、一枚の板が大きい場合は壊れやすく、また組み立て作業が困難になる。
【００４８】
第２蓋９ｂを点線矢印が示す位置に被せることで、納骨室３ａを密封することができる。高い防水機能を確保するためには、各構成部品の隙間は、コーキングする必要がある。
【００４９】
モニュメント１０として、刻銘板を取り付ける場合を説明する。刻銘板は、名前などを刻む刻銘部１０ａと固定部１０ｂからなる略Ｌ字形状の石材である。固定部１０ｂに留具１０ｄを一点矢印が示すように挿入する挿入孔１０ｃを有する。留具１０ｄは、ピン、ネジ、ボルトがある。
【００５０】
モニュメント１０は、蓋９の上部に載せるだけ、またピンで固定するだけでは、強風、地震など何らかの外的要因により、簡単に移動、脱落、転倒することがあり、破損、怪我防止の観点から、強固の固定するネジ、ボルトが好ましい。必要な数だけ留具１０ｄを使用し、必要な数だけ蓋９に差込孔９ｅを設け固定する。なお、分解の必要がなければ、接着材等で強固に接着させてもよい。
【００５１】
図７は、本発明である組立式ペット用墓の背面斜視図である。本発明である組立式ペット用墓１は、設置場所で簡単に組み立てることができる。なお、図７においてモニュメント１０は透視図として表した。
【実施例２】
【００５２】
図８は、本発明である組立式ペット用墓を構成する載置台の他の実施形態を示す斜視図である。該載置台２ｅは、前記載置台２の外突出部２ｂを除いた形状で、前記本体３の外周と同じ大きさである。
【００５３】
前記載置台２ｅは、前記本体３と接合させる部分である表面２ｆがある。該表面２ｆは、板状の素材の地面と接しない面を削ることで形成することができる。また、前記本体３に嵌め込むことができる板状の素材を積層することでも形成することができる。
【００５４】
上述のように表面２ｆを成形することによりできる、表面２ｆより内側の一段高い部分が納骨室３ａの内突出部２ｃとなる。また前記載置台２と同様にこの内突出部２ｃに収納溝２ｄを設けてもよい。
【００５５】
このような載置台２ｅは、組立式ペット用墓１ａを地面に埋没させるときに用いると有効である。組立式ペット墓用１ａを地面に埋没させることで、地面に直接設置する場合より、風などの横向きの力に対する安定性が高まる。
【００５６】
仮に、組立式ペット用墓１の下部を地面に埋設すると、載置台２は本体３より外突出部２ｂが突出しているため、移設する場合、地中より掘り出すことが容易でない。突出部がない該載置台２ｅは、引き抜くだけでよいため移設が簡単である。
【００５７】
図９は、本発明の第２実施例である組立式ペット用墓の斜視図である。載置台２ｅ以外の構成は、実施例１の構成と同じである。一点波線ＡーＡは、図１０の切断位置を示す。なお、図９においてモニュメント１０は、透視図として表した。
【００５８】
図１０は、本発明の第２実施例である組立式ペット用墓を設置したときの断面図（図９の一点波線ＡーＡ位置）である。このタイプは、本体３を地面１１に埋没させて設置する場合に好適である。移設するときに、載置台２のような外突出部２ｂが突出していないことから、掘りだし容易であるためである。
【００５９】
本発明である組立式ペット用墓１ａは、地面１１に穴を掘り、載置台２ｅと、正面板４と背面板５及び左右側面板６、７からなる本体３とを嵌着させ、その際、嵌着した箇所を両面テープ、コーキング剤など隙間を埋め気密性を確保し、前記穴底に設置する。
【００６０】
遺骨１２は、骨壺１３に収納して内突出部２ｃ内に形成されている収納溝２ｄに安置するが、骨壺１３使用しないで、直接安置してもよい。また、ペットの遺骸を納骨室３ａに安置して、白骨化させてもよい。その場合は、泥などを一緒に埋葬する。骨壺１３を収納溝２ｄに置くこと、転倒することがなく、遺骨１２が納骨室３ａ内に散乱することがない。
【００６１】
納骨した後に、第１蓋９ａ及び第２蓋９ｂからなる蓋９を、正面板４と背面板５及び左右側面板６、７からなる本体３の上部に組み込み、納骨室３ａを密閉する。その際、両面テープ、コーキング剤などを使用してもよい。
【００６２】
正面板４と背面板５及び左右側面板６、７からなる本体３と、載置台２ｅと、第１蓋９ａ及び第２蓋９ｂからなる蓋９とによって、囲まれた空間が納骨室３ａであり、遺骨１２を納めた骨壺１３を安置することができる。その他、記念品を納めてもよい。
【００６３】
その後、モニュメント１０を蓋９の上部に設置し、さらに適宜泥を盛り、本発明である組立式ペット用墓１ａを所定の場所に設置することができ、ペットの供養を充分行うことができることとなる。
【００６４】
なお、ここでは四角形である本体３の組立式ペット用墓１、１ａについて、図示・説明したが、勿論６角形、８角形などの形状である本体であっても、載置台と蓋の形状を適宜変更すること、本体を構成する板を必要な枚数に変更し、前記板を各々嵌着する形状に加工し、ピン８で固定すること、及び任意の板からなる本体と嵌着するように載置台に溝、蓋に凹部を設けることで、本発明である組立式ペット用墓が作成できることは勿論である。
【図面の簡単な説明】
【００６５】
【図１】本発明である組立式ペット用墓の正面図である。
【図２】本発明である組立式ペット用墓を構成する載置台の斜視図である。
【図３】本発明である組立式ペット用墓を構成する正面板と左側面板の正面図である。
【図４】本発明である組立式ペット用墓を構成する背面板と右側面板の正面図である。
【図５】本発明である組立式ペット用墓を構成する載置台と本体の組み立て方法を示す斜視図である。
【図６】本発明である組立式ペット用墓の組み立て方法を示す斜視図である。
【図７】本発明である組立式ペット用墓の背面斜視図である。
【図８】本発明である組立式ペット用墓を構成する載置台の他の実施形態を示す斜視図である。
【図９】本発明の第２実施例である組立式ペット用墓の斜視図である。
【図１０】本発明の第２実施例である組立式ペット用墓を設置したときの断面図（図９の一点波線ＡーＡ位置）である。
【符号の説明】
【００６６】
１      組立式ペット用墓
１ａ    組立式ペット用墓
２      載置台
２ａ    嵌着溝
２ｂ    外突出部
２ｃ    内突出部
２ｄ    収納溝
２ｅ    載置台
２ｆ    表面
３      本体
３ａ    納骨室
４      正面板
４ａ    底面
４ｂ    左切込部
４ｃ    右切込部
４ｄ    差込孔
４ｅ    上面
５      背面板
５ａ    底面
５ｂ    左切込部
５ｃ    右切込部
５ｄ    差込孔
５ｅ    上面
６      左側面板
６ａ    底面
６ｂ    左突出部
６ｃ    右突出部
６ｄ    挿入孔
６ｅ    上面
７      右側面板
７ａ    底面
７ｂ    左突出部
７ｃ    右突出部
７ｄ    挿入孔
７ｅ    上面
８      ピン
９      蓋
９ａ    第１蓋
９ｂ    第２蓋
９ｃ    凹部
９ｅ    差込孔
９ｄ    外縁部
１０    モニュメント
１０ａ  刻銘部
１０ｂ  固定部
１０ｃ  挿入孔
１０ｄ  留具
１１    地面
１２    遺骨
１３    骨壺
【図１】
2007285032.tif 000003
【図２】
2007285032.tif 000004
【図３】
2007285032.tif 000005
【図４】
2007285032.tif 000006
【図５】
2007285032.tif 000007
【図６】
2007285032.tif 000008
【図７】
2007285032.tif 000009
【図８】
2007285032.tif 000010
【図９】
2007285032.tif 000011
【図１０】
2007285032.tif 000012